(57)【要約】【課題】成形条件を設定する際の操作部の操作を簡素化することができ、成形条件を設定するための時間を短くすることができるようにする。【解決手段】複数の段取工程のうちの所定の段取工程を選択するための段取選択部をメイン画面に表示するメイン画面表示処理手段と、前記選択された段取工程に対応する設定画面に設定項目を表示する段取表示処理手段とを有する。前記メイン画面表示処理手段は、前記段取選択部において、複数の段取工程を一つの画面に表示する。段取選択部において、複数の段取工程が一つの画面に表示されるので、成形条件を設定する際の操作部３５の操作を簡素化することができ、成形条件を設定するための時間を短くすることができる。【選択図】図１
2010076431.tif 000002
【特許請求の範囲】
【請求項１】
（ａ）複数の段取工程のうちの所定の段取工程を選択するための段取選択部をメイン画面に表示するメイン画面表示処理手段と、
（ｂ）前記選択された段取工程に対応する設定画面に設定項目を表示する段取表示処理手段とを有するとともに、
（ｃ）前記メイン画面表示処理手段は、前記段取選択部において、複数の段取工程を一つの画面に表示することを特徴とする成形条件設定装置。
【請求項２】
前記段取表示処理手段は、前記段取選択部において各段取工程のうちの一つの段取工程が選択されると、選択された段取工程に対応する一つの設定画面に設定項目を表示する請求項１に記載の成形条件設定装置。
【請求項３】
前記段取表示処理手段は、選択された段取工程に対応する設定画面に複数の設定項目を集約して表示する請求項１又は２に記載の成形条件設定装置。
【請求項４】
前記段取表示処理手段は、前記複数の段取工程を作業手順の順に表示する請求項１〜３のいずれか１項に記載の成形条件設定装置。
【請求項５】
前記段取表示処理手段は、前記複数の設定項目を作業手順の順に表示する請求項１〜４のいずれか１項に記載の成形条件設定装置。
【請求項６】
前記段取選択部は、金型取付、保護設定、金型設定及びパージ動作の段取工程を選択するための段取選択要素を有する請求項１〜５のいずれか１項に記載の成形条件設定装置。
【請求項７】
（ａ）複数の段取工程のうちの所定の段取工程を選択するための段取選択部をメイン画面に表示し、
（ｂ）前記段取選択部において選択された所定の段取工程に対応する設定画面に設定項目を表示するとともに、
（ｃ）前記段取選択部において、複数の段取工程が一つの画面に表示されることを特徴とする成形条件設定方法。
【請求項８】
（ａ）複数の段取工程のうちの所定の段取工程を選択するための段取選択部が表示され、
（ｂ）該段取選択部において、複数の段取工程が一つの画面に表示されることを特徴とする成形条件設定画面。
【発明の詳細な説明】
【技術分野】
【０００１】
本発明は、成形条件設定装置、成形条件設定方法及び成形条件設定画面に関するものである。
【背景技術】
【０００２】
従来、成形機、例えば、射出成形機においては、加熱シリンダ内において加熱され、溶融させられた樹脂が、高圧で金型装置のキャビティ空間に充填され、該キャビティ空間内において冷却され、固化させられて成形品が成形されるようになっている。
【０００３】
前記射出成形機は、金型装置、型締装置及び射出装置を備え、前記型締装置は、固定プラテン及び可動プラテンを備え、型締用モータを駆動することによって可動プラテンを進退させることにより、金型装置の型閉じ、型締め及び型開きを行う。
【０００４】
一方、前記射出装置は、ホッパから供給された樹脂を加熱して溶融させる加熱シリンダ、該加熱シリンダ内において回転自在に、かつ、進退自在に配設されたスクリュー、前記加熱シリンダの前端に取り付けられ、溶融させられた樹脂を射出する射出ノズル等を備える。そして、計量工程において、計量用モータを駆動することによってスクリューを回転させると、溶融させられた樹脂がスクリューの前方に溜められ、射出工程において、射出用モータを駆動することによってスクリューを前進させると、スクリューの前方に溜められた樹脂が射出ノズルから射出され、型締めが行われた金型装置内のキャビティ空間に充填される。
【０００５】
そして、該キャビティ空間内の樹脂が冷却され、固化させられて成形品が成形され、型開きが行われる。このとき、突出し装置の突出し用モータを駆動することによってエジェクタピンを前進させると、成形品が突き出される。
【０００６】
ところで、前記構成の射出成形機を運転するに当たり、操作者によって各種の成形条件が設定されるようになっている。そのために、前記射出成形機には、制御部、表示部、操作部等が配設され、操作者が操作部を操作することによって、表示部に形成された成形条件設定画面に所定の成形条件が入力され、設定される（例えば、特許文献１参照。）。
【先行技術文献】
【特許文献】
【０００７】
【特許文献１】特開２００１−１５０５０７号公報
【発明の概要】
【発明が解決しようとする課題】
【０００８】
しかしながら、前記従来の射出成形機においては、所定の成形条件を設定する場合、操作者が操作部を操作し、成形条件設定画面上の設定欄にカーソルを移動させるか、又は所定の設定欄にタッチするかして設定項目を選択し、選択された設定項目について新しい設定値を入力する必要があり、複数の設定項目について設定値を入力したり、変更したりする際の操作部の操作が煩わしいだけでなく、成形条件を設定するための時間が長くなってしまう。
【０００９】
本発明は、前記従来の射出成形機の問題点を解決して、成形条件を設定する際の操作部の操作を簡素化することができ、成形条件を設定するための時間を短くすることができる成形条件設定装置、成形条件設定方法及び成形条件設定画面を提供することを目的とする。
【課題を解決するための手段】
【００１０】
そのために、本発明の成形条件設定装置においては、複数の段取工程のうちの所定の段取工程を選択するための段取選択部をメイン画面に表示するメイン画面表示処理手段と、前記選択された段取工程に対応する設定画面に設定項目を表示する段取表示処理手段とを有する。
【００１１】
そして、前記メイン画面表示処理手段は、前記段取選択部において、複数の段取工程を一つの画面に表示する。
【発明の効果】
【００１２】
本発明によれば、成形条件設定装置においては、複数の段取工程のうちの所定の段取工程を選択するための段取選択部をメイン画面に表示するメイン画面表示処理手段と、前記選択された段取工程に対応する設定画面に設定項目を表示する段取表示処理手段とを有する。
【００１３】
そして、前記メイン画面表示処理手段は、前記段取選択部において、複数の段取工程を一つの画面に表示する。
【００１４】
この場合、前記段取選択部において、複数の段取工程が一つの画面に表示されるので、成形条件を設定する際の操作部の操作を簡素化することができ、成形条件を設定するための時間を短くすることができる。
【図面の簡単な説明】
【００１５】
【図１】本発明の実施の形態における射出成形機の制御ブロック図である。
【図２】本発明の実施の形態におけるメイン画面の表示例を示す図である。
【図３】本発明の実施の形態における金型取付画面の表示例を示す図である。
【発明を実施するための形態】
【００１６】
以下、本発明の実施の形態について図面を参照しながら詳細に説明する。この場合、成形機としての射出成形機について説明する。
【００１７】
図１は本発明の実施の形態における射出成形機の制御ブロック図である。
【００１８】
図において、Ｍ１は射出成形機であり、該射出成形機Ｍ１は、金型装置１１、射出装置１５、図示されない型締装置、図示されない可塑化移動装置、図示されない突出し装置等を有する。
【００１９】
前記金型装置１１は、第１の金型としての固定金型１１ａ、及び第２の金型としての可動金型１１ｂを備える。
【００２０】
また、前記型締装置は、前記固定金型１１ａが取り付けられる固定プラテン、可動金型１１ｂが取り付けられる可動プラテン、型締用の駆動部としての型締用モータｍａ、トグル機構等を備える。前記型締用モータｍａを駆動させると、トグル機構が作動させられ、可動プラテンが進退させられ、固定金型１１ａに対して可動金型１１ｂが接離させられ、金型装置１１の型閉じ、型締め及び型開きが行われる。
【００２１】
そして、前記射出装置１５は、ホッパ１６から供給された成形材料としての図示されない樹脂を加熱して溶融させるシリンダ部材としての加熱シリンダ１８、該加熱シリンダ１８内において回転自在に、かつ、進退自在に配設された射出部材としての図示されないスクリュー、前記加熱シリンダ１８の前端に取り付けられ、溶融させられた樹脂を射出する射出ノズル１９、計量用の駆動部としての計量用モータｍｂ、射出用の駆動部としての射出用モータｍｃ等を備える。なお、前記加熱シリンダ１８には、ホッパ１６から落下する樹脂を加熱シリンダ１８内に供給するための材料供給口としての図示されない樹脂供給口が形成される。
【００２２】
前記加熱シリンダ１８において樹脂を溶融させるために、加熱シリンダ１８の周囲には、加熱部材としての、かつ、被制御部材としての複数のヒータ５１（図においては１個だけが示される。）が配設され、該各ヒータ５１が通電されることによって発生した熱が加熱シリンダ１８に伝達される。
【００２３】
前記各ヒータ５１は、図示されない電源とスイッチング要素としての図示されないスイッチを介して接続され、該スイッチを断続することによってオン・オフさせられる。
【００２４】
また、前記可塑化移動装置は、射出装置１５を射出成形機Ｍ１のフレーム上で支持する支持機構、可塑化移動用の駆動部としての可塑化移動用モータ等を備える。該可塑化移動用モータを駆動することによって、射出装置１５が前記フレーム上を前進させられ、射出ノズル１９が固定金型１１ａに当接させられて、ノズルタッチが行われる。
【００２５】
そして、前記突出し装置は、エジェクタピン、該エジェクタピンを進退させる突出し用の駆動部としての突出し用モータ等を備える。
【００２６】
また、Ｆ１は制御部であり、該制御部Ｆ１は、演算装置としてのＣＰＵ３１、該ＣＰＵ３１が各種の演算処理を行うにあたってワーキングメモリとして使用されるＲＡＭ３２、制御用プログラムのほか、各種のデータが記録されたＲＯＭ３３等を備える。前記制御部Ｆ１は、操作パネル、キーボード等から成る操作部３５、ＣＲＴ、液晶画面等から成る表示部３６、前記型締用モータｍａ、計量用モータｍｂ、射出用モータｍｃ等を駆動するためのドライバ３８、射出成形機Ｍ１の各箇所に配設された情報検出部としてのセンサ類、すなわち、各センサＳｊ（ｊ＝１、２、…、ｋ）等と接続される。
【００２７】
なお、前記ＣＰＵ３１は、各種のプログラム、データ等に基づいてコンピュータとして機能し、前記ＲＡＭ３２、ＲＯＭ３３等によって記録装置が構成される。また、演算装置として、ＣＰＵ３１に代えてＭＰＵ等を使用することもできる。そして、本実施の形態において、表示部３６は、タッチパネルによって形成され、操作部としても機能する。
【００２８】
計量工程時に、前記計量用モータｍｂを駆動することによって前記スクリューを回転させると、溶融させられた樹脂がスクリューの前方に溜められ、射出工程時に、前記射出用モータｍｃを駆動することによってスクリューを前進させると、射出ノズル１９からスクリューの前方に溜められた樹脂が射出され、型締めが行われた状態の金型装置１１内に形成されたキャビティ空間に充填される。
【００２９】
また、該キャビティ空間内の樹脂が冷却され、固化させられて成形品が成形され、型開きが行われると、前記突出し用モータが駆動され、突出し装置のエジェクタピンが前進させられて成形品が突き出される。
【００３０】
そして、前記制御部Ｆ１において、ＣＰＵ３１の図示されない成形機情報取得処理手段（成形機情報取得処理部）は、成形機情報取得処理を行い、射出成形機Ｍ１を運転するに当たり、射出成形機Ｍ１の各種の成形条件を表す設定値を、ＲＡＭ３２等から読み出すことによって、成形機情報として取得する。また、前記成形機情報取得処理手段は、各センサＳｊからのセンサ出力を読み込み、各センサＳｊによって検出された温度、圧力、力、トルク、速度、時間、位置等の実績値を成形機情報として取得する。
【００３１】
例えば、温度の実績値として、加熱シリンダ１８の温度（加熱シリンダ温度）、金型装置１１の温度（金型温度）、樹脂の温度（樹脂温度）等が、圧力の実績値として、可動金型１１ｂを固定金型１１ａに当接させる圧力（タッチ力又は金型タッチ力）、射出工程時にスクリューに加えられる圧力（射出圧力）、計量工程時にスクリューに加えられる圧力（スクリュー背圧）、樹脂の圧力（樹脂圧）、保圧工程時の樹脂の圧力（保圧力）、金型装置１１を開閉する際の圧力（型開閉圧力）、突出し装置によってエジェクタピンを前進させる際の圧力（ＥＪ圧力）等が、力の実績値として、型締め時に型締装置によって発生させられる力（型締力）等が、トルクとして、型締め時に型締用モータｍａによって発生させられるトルク（型締トルク）、成形品を突き出す際に突出し用モータによって発生させられるトルク（ＥＪトルク）等が取得される。
【００３２】
また、速度の実績値として、スクリューの速度（スクリュー速度）、可動プラテンの速度（型開閉速度）、スクリューの回転速度（スクリュ回転速度）、エジェクタピンを前進させる速度（ＥＪ速度）等が、時間の実績値として、射出が行われる時間（充填時間）、保圧が行われる時間（保圧時間）、冷却が行われる時間（冷却時間）、計量が行われる時間（計量時間）、成形サイクルの周期を表す時間（サイクル時間）、型開きが行われる時間（型開時間）、型閉じが行われる時間（型閉時間）、突出し装置の作動を開始させてから終了するまでの時間（総ＥＪ時間）等が取得される。
【００３３】
そして、位置の実績値として、スクリューの位置（スクリュ位置）、保圧工程が終了する際のスクリューの位置（終了位置）、計量工程が終了する際のスクリューの位置（計量完了位置）、速度制御と圧力制御の切換えが行われる位置（Ｖ−Ｐ切換位置）、型開きが終了する際の可動プラテンの位置（型開限位置）、トグルサポートの位置（型厚位置）、突出し装置の作動が終了する位置（突出位置）等が取得される。
【００３４】
そして、前記成形機情報取得処理手段は、各成形機情報（実績値）を読み込み、該各成形機情報に基づいて、図示されない各種のアクチュエータを作動させ、射出成形機Ｍ１の各箇所の制御を行う。
【００３５】
例えば、前記ＣＰＵ３１の図示されない変量制御処理手段としての温度制御処理手段（変量制御処理部としての温度制御処理部）は、変量制御処理としての温度制御処理を行い、変量としての加熱シリンダ１８内の樹脂の温度を制御する。
【００３６】
そのために、前記ヒータ５１に隣接させてセンサＳ１が配設される。該センサＳ１は、熱電対によって構成された変量検出部としての温度検出部を構成し、加熱シリンダ１８の温度を検出することによって樹脂の温度を検出し、センサ出力を制御部Ｆ１に送る。なお、前記センサＳ１は、各ヒータ５１ごとに配設される（図においては１個だけが示される。）。
【００３７】
そして、前記温度制御処理手段は、前記各センサ出力を読み込み、各センサＳ１によって検出された温度、すなわち、検出温度と設定値とを比較し、比較結果に基づいてフィードバック制御を行い、各ヒータ５１の通電を制御し、ヒータ５１をオン・オフさせて樹脂の温度を制御する。
【００３８】
ところで、操作者が操作部３５を操作して射出成形機Ｍ１を立ち上げると、ＣＰＵ３１の図示されない画面形成処理手段（画面形成処理部）は、画面形成処理を行い、表示部３６に、図２に示されるような第１の成形条件設定画面としてのメイン画面を形成（表示）する。そして、ＣＰＵ３１の図示されない表示処理手段としてのメイン画面表示処理手段（表示処理部としてのメイン画面表示部）（メイン画面表示手段）は、表示処理としてのメイン画面表示処理を行い、メイン画面に表示領域を表示する。
【００３９】
図２は本発明の実施の形態におけるメイン画面の表示例を示す図である。
【００４０】
図において、ｄ１はメイン画面であり、該メイン画面ｄ１には、複数の画面のうちの所定の画面を選択するための表示領域である画面選択部としての画面切替ボタン欄Ａｒ１、射出成形機Ｍ１の実績値を表示するための表示領域である実績値表示部Ａｒ２、射出成形機Ｍ１に異常が発生すると、その都度、異常の発生の履歴を、異常の種類と共に表示するための表示領域である異常履歴表示部Ａｒ３、射出成形機Ｍ１の駆動状態を表示するための表示領域である駆動状態表示部Ａｒ４、及び成形品の生産状況を表示するための表示領域である生産状況表示部Ａｒ５が表示（形成）される。
【００４１】
また、メイン画面ｄ１の所定の箇所、本実施の形態においては、画面切替ボタン欄Ａｒ１の上に、複数の段取工程のうちの所定の段取工程を選択するための表示領域である段取選択部としての段取画面呼出ボタン欄Ａｒ６が表示（形成）される。
【００４２】
前記画面切替ボタン欄Ａｒ１には、現在形成されている画面を、第２の成形条件設定画面としての他の設定項目画面に切り替えるための、操作要素（画面選択要素）としての各ボタンが表示される。
【００４３】
この場合、前記画面切替ボタン欄Ａｒ１には、現在形成されている画面を射出装置１５に関する設定項目画面に切り替えるための射出ボタンｂ１１、現在形成されている画面を型締装置に関する設定項目画面に切り替えるための型開閉ボタンｂ１２、現在形成されている画面を加熱シリンダ１８の温度に関する設定項目画面に切り替えるための温度ボタンｂ１３、現在形成されている画面を、各センサＳｊから送られたセンサ出力で表される検出値を波形表示する波形画面に切り替えるための波形表示ボタンｂ１４、現在形成されている画面を、各センサＳｊから送られたセンサ出力で表される検出値を各ショットごとに時系列で表示する実績値表示画面に切り替えるための品質管理ボタンｂ１５、及び現在形成されている画面をメイン画面に切り替えるためのメインボタンｂ１６が表示（形成）される。
【００４４】
また、実績値表示部Ａｒ２には、あらかじめ選択された、成形品の品質に関する項目についての実績値が表示される。なお、該実績値は、各センサＳｊから送られたセンサ出力で表される。
【００４５】
ところで、従来の射出成形機Ｍ１においては、所定の成形条件を設定する場合、各設定項目画面に、各駆動部（可塑化移動用モータ、型締用モータｍａ、計量用モータｍｂ、射出用モータｍｃ、突出し用モータ等）に対応する設定欄が表示され、操作者は、各設定欄のうちの所定の設定欄にタッチして設定項目を選択し、選択された設定項目について、駆動部の動作の設定値を入力する。
【００４６】
そして、操作者は、設定値を入力すると、対応する駆動部を実際に駆動し、駆動部及び該駆動部によって作動させられる図示されない被駆動部についての動作確認を行う。
【００４７】
例えば、金型装置１１を取り付ける場合、まず、操作者は、型開閉ボタンｂ１２にタッチし、メイン画面を型締装置に関する設定項目画面に切り替え、該設定項目画面において、成形品を量産するときの成形条件を設定するための各設定欄にタッチし、設定項目を選択し、選択された設定項目について、型厚移動の駆動部である型厚調整用モータの動作の設定値を入力することによってトグルサポートの位置（型厚位置）の設定を行う。そして、操作者は、型厚調整用モータを実際に駆動して、型厚移動の動作確認を行う。
【００４８】
次に、操作者は、突出し用モータの動作の設定値を入力することによってＥＪ圧力の設定を行い、突出し用モータを実際に駆動して、突出し装置の動作確認を行う。
【００４９】
続いて、操作者は、射出ボタンｂ１１にタッチし、現在形成されている画面を射出装置１５に関する設定項目画面に切り替え、該設定項目画面において、成形品を量産するときの成形条件を設定するための各設定欄にタッチし、設定項目を選択し、選択された設定項目について、射出用モータｍｃの動作の設定値を入力することによって射出圧力の設定を行う。そして、操作者は、射出用モータｍｃを実際に駆動して、射出装置１５の動作確認を行い、パージを行う。
【００５０】
このように、従来の射出成形機Ｍ１において、射出成形機Ｍ１を立ち上げて、成形品の量産を行うに当たり、操作者は、複数の設定値を入力し、続いて、対応する駆動部を実際に駆動し、駆動部及び被駆動部についての動作確認を行う必要があるので、成形条件を設定するための操作が煩わしいだけでなく、成形条件を設定するための時間が長くなってしまう。特に、射出成形機Ｍ１の操作の経験が浅い操作者においては、成形条件を設定するための操作が一層煩わしいだけでなく、成形条件を設定するための時間が一層長くなってしまう。
【００５１】
そこで、本実施の形態においては、前述されたように、メイン画面ｄ１において、各種の段取工程を選択することができるようになっている。そのために、前記メイン画面表示処理手段は、メイン画面ｄ１の段取画面呼出ボタン欄Ａｒ６に、メイン画面ｄ１を第３の成形条件設定画面としての、かつ、設定画面としての各段取表示画面に切り替えるための操作要素（段取選択要素）としての複数のボタンを一つの画面に集約して表示する。この場合、各ボタンは、射出成形機Ｍ１を立ち上げてから、成形品の量産を開始するまでの各段取工程の作業手順の順に並べて表示される。
【００５２】
すなわち、段取画面呼出ボタン欄Ａｒ６には、各ボタンが５列×２行のマトリックスで配設され、第１列・第１行に、初期条件を換算する段取工程を選択するための条件換算ボタンｂ１が、第１列・第２行に、周辺機器との取合せ等を行う段取工程を選択するための機能選択ボタンｂ２が、第２列・第１行に、金型装置１１の取付けに関する設定を行う段取工程を選択するための金型取付ボタンｂ３が、第２列・第２行に、金型保護を行う段取工程を選択するための保護設定ボタンｂ４が、第３列・第１行に、金型装置１１の作動に関する設定を行う段取工程を選択するための金型設定ボタンｂ５が、第３列・第２行に、パージを行う段取工程を選択するためのパージ動作ボタンｂ６が、第４列・第１行に、成形品を量産するときの成形条件の設定を行う段取工程を選択するための成形条件ボタンｂ７が、第５列・第１行に、成形品を量産するときの異常を判定する閾値の設定を行う段取工程を選択するための監視設定ボタンｂ８が、第５列・第１行に、成形品を量産するときに、各センサＳｊから送られたセンサ出力を実績値としてＲＡＭ３２に記録する項目を設定する段取工程を選択するためのユーザ管理ボタンｂ９が表示される。なお、必要に応じて、各ボタンの配列を変更することができる。
【００５３】
そして、操作者が段取画面呼出ボタン欄Ａｒ６において所定のボタンにタッチすると、前記画面形成処理手段（段取表示手段）は、表示部３６に各ボタンに対応する段取表示画面を形成する。
【００５４】
すなわち、操作者が条件換算ボタンｂ１にタッチすると、前記画面形成処理手段は表示部３６に段取表示画面として条件換算画面を、操作者が機能選択ボタンｂ２にタッチすると、前記画面形成処理手段は表示部３６に段取表示画面として機能選択画面を、操作者が金型取付ボタンｂ３にタッチすると、前記画面形成処理手段は表示部３６に段取表示画面として金型取付画面を、操作者が保護設定ボタンｂ４にタッチすると、前記画面形成処理手段は表示部３６に段取表示画面として保護設定画面を、操作者が金型設定ボタンｂ５にタッチすると、前記画面形成処理手段は表示部３６に段取表示画面として金型設定画面を、操作者がパージ動作ボタンｂ６にタッチすると、前記画面形成処理手段は表示部３６に段取表示画面としてパージ動作画面を、操作者が成形条件ボタンｂ７にタッチすると、前記画面形成処理手段は表示部３６に段取表示画面として成形条件画面を、操作者が監視設定ボタンｂ８にタッチすると、前記画面形成処理手段は表示部３６に段取表示画面として監視設定画面を、操作者がユーザ管理ボタンｂ９にタッチすると、前記画面形成処理手段は表示部３６に段取表示画面としてユーザ管理画面をそれぞれ形成する。
【００５５】
次に、前記金型取付画面について説明する。
【００５６】
図３は本発明の実施の形態における金型取付画面の表示例を示す図である。
【００５７】
図において、ｄ２は金型取付画面であり、前記表示処理手段の段取表示処理手段（段取表示処理部）（段取表示手段）は、段取表示処理を行い、金型取付画面ｄ２に、画面を選択するための表示領域である前記画面切替ボタン欄Ａｒ１を表示するとともに、射出成形機Ｍ１の駆動状態を表示するための表示領域である駆動状態表示部Ａｒ１１、金型装置１１に関する実績値を表示するための表示領域である型締実績表示部Ａｒ１２、及び金型装置１１の取付時の作業手順を表示するための表示領域である作業手順案内部Ａｒ１３を表示する。
【００５８】
また、前記型締実績表示部Ａｒ１２には、「型締力」、「型締トルク」、「ＥＪトルク」、「型厚位置」、「型開時間」、「型閉時間」、「総ＥＪ時間」及び「サイクル時間」の実績値が表示される。
【００５９】
そして、前記作業手順案内部Ａｒ１３には、各段取工程における段取りに対応する複数の設定項目（作業項目）が一つの画面に集約して表示される。
【００６０】
すなわち、作業手順案内部Ａｒ１３には、金型装置１１を固定プラテン及び可動プラテンに取り付けることができるように、可動プラテンと固定プラテンとの隙間を確保するための「型厚移動」、固定プラテンと可動プラテンとの間に金型装置１１を挿入するための「金型挿入」、可動プラテンをストロークエンドまで移動させた後に前進させて、固定プラテンと可動プラテンとの間に金型装置１１を挟み込むための「金型タッチ」、射出装置１５の射出ノズル１９と固定金型１１ａの図示されないスプルブッシュとの芯合せを行うための「ノズルタッチ」、固定金型１１ａを固定プラテンに、可動金型１１ｂを可動プラテンにそれぞれ固定するための「金型固定」、型締力を調整するための「型締力調整」、型開限を設定するための「型開限設定」、及びエジェクタ位置を設定するための「ＥＪ位置設定」の各設定項目が、１〜８の番号を付与することによって、作業手順の順に表示される。
【００６１】
まず、「型厚移動」の設定項目には、設定欄として、型厚設定欄（型厚設定ボタン）ｂ２１及び運転指示欄（運転ボタン）ｍ１が並べて表示される。操作者が、型厚設定欄ｂ２１に型厚を入力することによって型厚の設定を行い、運転指示欄ｍ１にタッチすると、運転指示欄ｍ１の「ＯＦＦ」が「ＯＮ」になり、型締用モータｍａが駆動され、型締装置の動作確認が行われる。
【００６２】
次に、「型厚移動」の設定及び動作確認が行われた後の設定項目として「金型挿入」が表示される。この場合、「金型挿入」の設定項目には設定欄が表示されないが、これは、「金型挿入」の作業が、射出成形機Ｍ１の駆動部の駆動を伴うものではなく、操作者が手作業で実施する作業であることを意味する。
【００６３】
続いて、「金型タッチ」が表示され、該「金型タッチ」の設定項目には、設定欄として、金型タッチ力設定欄（金型タッチ力設定ボタン）ｂ２２及び運転指示欄（運転ボタン）ｍ２が並べて表示される。操作者が、金型タッチ力設定欄ｂ２２に金型タッチ力を入力することによって金型タッチ力の設定を行い、運転指示欄ｍ２にタッチすると、運転指示欄ｍ２の「ＯＦＦ」が「ＯＮ」になり、型締用モータｍａが駆動され、型締装置の動作確認が行われる。
【００６４】
次に、「ノズルタッチ」及び「金型固定」が順に表示される。なお、「ノズルタッチ」及び「金型固定」の作業は、射出成形機Ｍ１の駆動部の駆動を伴うものではなく、操作者が手作業で実施する作業であるので、設定欄が表示されない。
【００６５】
そして、「型締力調整」が表示され、該「型締力調整」の設定項目には、設定欄として、金型測定の入・切欄・型締力設定欄ｂ２３及び運転指示欄（運転ボタン）ｍ３が並べて表示される。操作者が、型締力設定欄に型締力を入力することによって型締力の設定を行い、運転指示欄ｍ３にタッチすると、運転指示欄ｍ３の「ＯＦＦ」が「ＯＮ」になり、型締用モータｍａが駆動され、型締装置の動作確認が行われる。
【００６６】
続いて、「型開限設定」が表示され、該「型開限設定」の設定項目には、設定欄として、型開閉位置欄・型開閉速度欄・型開閉圧力欄ｂ２４が表示され、次に、「ＥＪ位置設定」が表示され、該「ＥＪ位置設定」の設定項目には、設定欄として、突出位置欄・ＥＪ速度欄・ＥＪ圧力欄ｂ２５が表示される。操作者は、型開閉位置欄、型開閉速度欄及び型開閉圧力欄にそれぞれ型開閉位置、型開閉速度及び型開閉圧力を入力することによって型開閉位置、型開閉速度及び型開閉圧力の設定を行い、突出位置欄、ＥＪ速度欄及びＥＪ圧力欄にそれぞれ突出位置、ＥＪ速度及びＥＪ圧力を入力することによって突出位置、ＥＪ速度及びＥＪ圧力の設定を行う。
【００６７】
なお、操作者が、前記各設定欄に所定の設定値を入力した後、表示部３６に表示された図示されない確定要素としての実行キーにタッチすることによって、入力された設定値の設定が確定される。
【００６８】
次に、射出成形機Ｍ１を立ち上げてから、成形品の量産を開始するまでの動作手順について説明する。
【００６９】
まず、操作者が射出成形機Ｍ１を立ち上げると、前記メイン画面表示手段は、表示部３６にメイン画面ｄ１を形成する。そして、操作者は、メイン画面ｄ１の段取画面呼出ボタン欄Ａｒ６に表示された各段取工程の順番に従って作業を行う。
【００７０】
例えば、新たなスクリューを使用する場合、操作者が条件換算ボタンｂ１にタッチすると、前記画面形成処理手段は表示部３６に条件換算画面を形成する。そして、操作者が条件換算画面において初期条件を設定すると、前記ＣＰＵ３１の図示されない条件換算処理手段は、条件換算処理を行い、新たなスクリューに対応する計量値、充填速度等を換算し、成形条件を算出する。続いて、操作者が前記メインボタンｂ１６にタッチすると、前記メイン画面表示手段は、表示部３６にメイン画面ｄ１を表示する。
【００７１】
次に、操作者が機能選択ボタンｂ２にタッチすると、前記画面形成処理手段は表示部３６に機能選択画面を形成する。そして、操作者は機能選択画面において周辺機器等の接続条件（成形条件）を設定する。続いて、操作者が前記メインボタンｂ１６にタッチすると、前記メイン画面表示手段は、表示部３６にメイン画面ｄ１を表示する。
【００７２】
次に、操作者が金型取付ボタンｂ３にタッチすると、前記画面形成処理手段は、表示部３６に金型取付画面を形成する。そして、操作者は、金型取付画面において金型装置１１の取付けに関する設定を行う。続いて、操作者が前記メインボタンｂ１６にタッチすると、前記メイン画面表示手段は、表示部３６にメイン画面ｄ１を表示する。
【００７３】
次に、操作者が保護設定ボタンｂ４にタッチすると、画面形成処理手段は、表示部３６に保護設定画面を形成する。そして、操作者は、保護設定画面において金型装置１１の保護に関する設定を行う。続いて、操作者が前記メインボタンｂ１６にタッチすると、前記メイン画面表示手段は、表示部３６にメイン画面ｄ１を表示する。
【００７４】
次に、操作者が金型設定ボタンｂ５にタッチすると、画面形成処理手段は、表示部３６に金型設定画面を形成する。そして、操作者は、金型設定画面において金型装置１１の作動に関する設定を行う。続いて、操作者が前記メインボタンｂ１６にタッチすると、前記メイン画面表示手段は、表示部３６にメイン画面ｄ１を表示する。
【００７５】
次に、操作者がパージ動作ボタンｂ６にタッチすると、画面形成処理手段は、表示部３６にパージ動作画面を形成する。そして、操作者は、パージ画面においてパージ動作に関する設定を行う。続いて、操作者が前記メインボタンｂ１６にタッチすると、前記メイン画面表示手段は、表示部３６にメイン画面ｄ１を表示する。
【００７６】
次に、操作者が成形条件ボタンｂ７にタッチすると、前記画面形成処理手段は、表示部３６に成形条件画面を形成する。そして、操作者は、成形条件画面において成形条件の設定を行う。続いて、操作者が、前記メインボタンｂ１６にタッチすると、前記メイン画面表示手段は、表示部３６にメイン画面ｄ１を表示する。
【００７７】
次に、操作者が監視設定ボタンｂ８にタッチすると、前記画面形成処理手段は、表示部３６に監視設定画面を形成する。そして、操作者は、監視設定画面において射出成形機Ｍ１の監視に関する設定を行う。続いて、操作者が前記メインボタンｂ１６にタッチすると、前記メイン画面表示手段は、表示部３６にメイン画面ｄ１を表示する。
【００７８】
次に、操作者がユーザ管理ボタンｂ９にタッチすると、前記画面形成処理手段は表示部３６にユーザ管理画面を形成する。そして、操作者は、ユーザ管理画面において射出成形機Ｍ１の管理に関する設定を行う。続いて、操作者が、前記メインボタンｂ１６にタッチすると、前記メイン画面表示手段は表示部３６にメイン画面ｄ１を表示する。
【００７９】
このようにして、射出成形機Ｍ１を立ち上げてから、成形品の量産を開始するまでの段取りが行われる。なお、金型装置１１の取付けだけを行う場合、操作者は、最初に金型取付ボタンｂ３にタッチし、金型取付以降の各段取りを行う。その場合、段取画面呼出ボタン欄Ａｒ６に、前記金型取付ボタンｂ３、保護設定ボタンｂ４、金型設定ボタンｂ５及びパージ動作ボタンｂ６だけを表示することができる。
【００８０】
このように、本実施の形態においては、メイン画面ｄ１に段取画面呼出ボタン欄Ａｒ６が表示され、該段取画面呼出ボタン欄Ａｒ６に各種の段取工程を選択するための各ボタンが表示されるので、該各ボタンにタッチすることによって各段取工程に対応する段取表示画面を表示部３６に形成することができる。したがって、射出成形機Ｍ１を立ち上げてから、成形品の量産を開始するまでの各段取工程における段取条件を成形条件として容易に設定することができる（変更することも含む。）。その結果、射出成形機Ｍ１を立ち上げてから、成形品の量産を開始するまでの作業の段取りを効率良く行うことができる。
【００８１】
しかも、段取画面呼出ボタン欄Ａｒ６に、メイン画面ｄ１を各段取表示画面に切り替えるためのボタンが、射出成形機Ｍ１を立ち上げてから、成形品の量産を開始するまでの各段取工程の順に並べて表示されるので、射出成形機Ｍ１の操作の経験が浅い操作者でも作業の段取りを効率良く行うことができる。
【００８２】
なお、本実施の形態においては、各設定項目の設定欄に、設定値を随時入力するようになっているが、設定値の入力を制限することができる。例えば、所定の設定項目についての設定値の入力が終了するまで、次の設定項目についての設定値の入力を制限し、前記所定の設定項目についての設定値の入力が終了すると、次の設定項目についての設定値を入力することができる。この場合、すべての設定項目について設定値を確実に入力することができる。
【００８３】
また、すべての設定項目について設定値が入力されないと射出成形機Ｍ１を作動することができないようにすることができる。その場合、成形条件の設定途中であるにもかかわらず、射出成形機Ｍ１を誤って作動させてしまうことがなくなる。
【００８４】
本実施の形態においては、金型取付画面の作業手順案内部Ａｒ１３について説明しているが、条件換算画面、機能選択画面、保護設定画面、金型設定画面、パージ動作画面、成形条件画面、監視設定画面及びユーザ管理画面においても、各段取工程における段取りに対応する設定項目が一つの画面に集約して表示される。
【００８５】
なお、本発明は前記実施の形態に限定されるものではなく、本発明の趣旨に基づいて種々変形させることが可能であり、それらを本発明の範囲から排除するものではない。
【符号の説明】
【００８６】
３２    ＲＡＭ
３３    ＲＯＭ
Ａｒ６    段取画面呼出ボタン欄
ｄ１    メイン画面
ｄ２    金型取付画面
【図１】
2010076431.tif 000003
【図２】
2010076431.tif 000004
【図３】
2010076431.tif 000005
【手続補正書】
【提出日】平成21年7月30日(2009.7.30)
【手続補正１】
【補正対象書類名】図面
【補正対象項目名】図２
【補正方法】変更
【補正の内容】
【図２】
2010076431.tif 000006
【手続補正２】
【補正対象書類名】図面
【補正対象項目名】図３
【補正方法】変更
【補正の内容】
【図３】
2010076431.tif 000007